(57)【要約】      （修正有）【課題】つり革やエレベータのボタン等に直接触れずに利用することができる吊革把持補助具を提供すること。【解決手段】弾性を有する素材からなり、大径部と小径部を交互に有する蛇腹形状であり且つ断面Ｃ字の筒状体からなる本体１と、前長手方向に沿って備えられると共に両端を前記本体１に固定した紐状物又は帯状物からなる持ち手部と、を有する吊革把持補助具であって、前記本体１の長手方向の端淵は、中央近傍が直線形状であり、両端角部は丸みを帯びたカーブになっていることを特徴とする。【選択図】図７
2020185995.tif 000002
【特許請求の範囲】
【請求項１】
弾性を有する素材からなり且つ断面Ｃ字の筒状体からなる本体と、
前記本体の長手方向に沿って備えられると共に両端を前記本体に固定した紐状物又は帯状物からなる持ち手部と、を有し、前記本体の長手方向の端淵は、中央近傍が直線形状であり、両端角部は丸みを帯びたカーブになっていることを特徴とする吊革把持補助具。
【発明の詳細な説明】
【技術分野】
【０００１】
本発明は、手に装着することで、鉄道その他乗物車両のつり革や手すりを触れることなく利用したり、また、エレベータのボタン、券売機や自動販売機のボタン等に直接触れることなく操作可能な吊革把持補助具に関する。
【背景技術】
【０００２】
鉄道車両や乗り合いバスに備え付けられているつり革は、不特定多数が毎日利用しており、汗や汚れが付着したままになっていることも多く、直接触れることをストレスに感じる人が多い。そこで、従来より、つり革を直接触らずに利用できるよう、様々な把持具が考案されている。
【０００３】
特許文献１の持ち運び用つり革の衛生的補助具は、厚手のナイロン製ベルトを環状にしたものであって、一端をつり革の輪に通して固定し、もう一端を手で保持してつり革を利用するものである。特許文献２の吊革非接触把持具は、ステンレス板をプラス加工した把持具であって、一端に設けられた引掛け片を吊革に引っ掛け、他端に設けられた手掛け孔に、指を掛けるようにして吊革を利用するものである。
【０００４】
しかし、特許文献１は、つり革に通した環状ベルトの下端を手で保持するため、つり革を直接手で持つより感ずる揺れが大きく不安定である。特許文献２の吊革非接触把持具はつり革に硬質素材からなる把持具を引掛ける構造であり、つり革により近い場所を保持できるが、それでも、電車が揺れると、把持具がつり革から外れることがありうる。また、特許文献１の補助具も、特許文献２の把持具も、つり革に装着して手で保持する際に、つり革部分に異物を装着していることが外観から明らかであって、目立ってしまうことから、周囲の目を気にする使用者にとっては使いづらいものである。
【先行技術文献】
【特許文献】
【０００５】
【特許文献１】特開２００４−１８９１９８号公報
【特許文献２】特開２０１１−４６３５１号公報
【発明の概要】
【発明が解決しようとする課題】
【０００６】
本発明の目的は、つり革に直接装着でき、外れにくく安定感があり、吊革に直接触れずに、吊革を握るのと同じ握り方で吊革を使用できる把持用補助具を提供することにある。
【課題を解決するための手段】
【０００７】
また、この発明の吊革把持補助具は、弾性を有する素材からなり且つ断面Ｃ字の筒状体からなる本体と、前記本体の長手方向に沿って備えられると共に両端を前記本体に固定した紐状物又は帯状物からなる持ち手部と、を有し、前記本体の長手方向の端淵は、中央近傍が直線形状であり、両端角部は丸みを帯びたカーブになっていることを特徴とする。
【０００８】
この発明によれば、吊革把持補助具を手のひらに装着し、本体の断面Ｃ字形状の中につり革を嵌合させるようにすれば、つり革を直接触れることなく、利用できる。また、本体の断面Ｃ字形状の中に指を挿入したり、本体を手で保持して、エレベーターのボタンや自販機のボタン等を押すようにすれば、ボタンに直接触れることなく操作できる。つり革や、エレベーターのボタン等の公共物は洗浄の機会が少なく、表面にウイルスや雑菌が付着している可能性があるが、本発明の吊革把持補助具を使用すれば、それら公共物に直接触れることなく当該公共物を利用でき、衛生的でストレスフリーである。
【図面の簡単な説明】
【０００９】
【図１】本発明の実施の形態１にかかる吊革把持補助具１００の平面図である。
【図２】図１に示した吊革把持補助具１００のＡ−Ａ断面図である。
【図３】図２に示した吊革把持補助具１００のＡ−Ａ断面図のＢ部拡大断面図である。
【図４】図１に示した吊革把持補助具１００の底面図である。
【図５】図１に示した吊革把持補助具１００の正面図である。
【図６】図１に示した吊革把持補助具１００の右側面図である。
【図７】図１に示した吊革把持補助具１００の使用方法を説明するための参考図である。
【図８】図１に示した吊革把持補助具１００の使用方法を説明するための参考図である。
【図９】図１に示した吊革把持補助具１００の使用方法を説明するための参考図である。
【図１０】図１に示した吊革把持補助具１００の使用方法を説明するための参考図である。
【図１１】本発明の実施の形態２にかかる把持補助具２００の斜視図である。
【図１２】図１１に示した把持補助具２００の右側面図である。
【図１３】図１１に示した把持補助具２００の平面図である。
【図１４】本実施の形態２の把持補助具２００の使用方法を説明するための参考図である。
【図１５】本実施の形態３にかかる吊革把持補助具３００の斜視図である。
【図１６】図１５に示した吊革把持補助具３００の底面図である。
【図１７】図１５に示した吊革把持補助具３００の使用方法を説明するための参考図である。
【発明を実施するための形態】
【００１０】
（実施の形態１）
以下、図１から図１０を参照し、実施の形態１にかかる吊革把持補助具１００の形態と使用方法を説明する。本発明の吊革把持補助具１００は、電車やバスその他の乗り合い車両に設けられたつり革を、直接触れることなく、使用するためのものである。
【００１１】
図１は、本発明の実施の形態１にかかる吊革把持補助具１００の平面図である。図２は、図１に示した吊革把持補助具１００のＡ−Ａ断面図である。図３は、図２に示した吊革把持補助具１００のＢ部拡大断面図である。図４は、図１に示した吊革把持補助具１００の底面図である。図５は、図１に示した吊革把持補助具１００の正面図である。図６は、図１に示した吊革把持補助具１００の右側面図である。
【００１２】
図１に示すように、本発明の吊革把持補助具１００は、表面が大径部と小径部を交互に設けた蛇腹状であり且つ円筒の長手方向に沿って切断面を有し断面Ｃ形状の本体１と、本体両端近傍に、弾性素材からなる紐状物の両端を固定して取り付けた持ち手部１２とを主に有する。
【００１３】
本体１は、弾性を有する合成樹脂その他の素材からなる。合成樹脂の種類について、ポリプロピレン素材や塩ビ素材を用いることができる。手触りがサラリとして快適な装着感を提供できるポリプロピレン素材のものが最適である。塩ビ素材も用いることができる。本体１には抗菌加工を施してもよい。持ち手部１２は、本実施の形態１では、輪ゴムをつなげて任意の長さの紐状物を作成したうえ、両端を本体１の両端近傍に固定して作成したものを採用しているが、所定の長さの弾性素材からなる紐状物を採用することができる。弾性を有さない素材（布紐等）でも良い。また、帯状の面ファスナーを用いてもよい。持ち手部１２に使用する紐状物の長さは、本体１の長手方向寸法より、すこし長めのものを使用し、持ち手部１２が、本体１に対しアーチを描くように取り付けると良い。このように取り付けると、持ち手部１２と本体１との間隙に、人差し指から小指まで挿入可能な空間を確保することができ、吊革把持補助具１００を手に装着した際、手のひらの内側に本体１が、すっぽり収まるようになる。
【００１４】
吊革把持補助具１００の本体１の作成方法について、大径部と小径部を交互に設けた蛇腹形状となっている樹脂製の蛇腹ホースを長手方向に沿って切断し、断面Ｃ字の筒状体とする等の方法で作成するとよい。さらに、断面Ｃ字の筒状体の端部の角は、丸みを帯びたカーブになるよう、切り取って整えておくとよい。蛇腹形状は、大径部と小径部を交互に設けられ、蛇腹部が自由に伸縮することで、筒状体を容易に曲げたり、カーブに沿わせたりすることができるので、丸型や三角型等、どんな形状の吊革にもよくフィットし、吊革補把持補助具１００の本体１の構造として最適である。
【００１５】
図２に示すように、吊革把持補助具１００の本体１の断面は、規則的に凹凸が連なっており、隣接する凸部の間隙に、溝１１が設けられており、蛇腹形状となっている。本体１が蛇腹形状であることで、吊革把持補助具１００を手に装着して、つり革を使用する際、溝１１が通気口の役割を担うので、長時間本体１を握りしめても、べたつかず、サラリとした快適な使い心地となる。
【００１６】
また、吊革把持補助具１００の本体１は、筒状となっており、筒内部に吊革の環を挿入して使用することから、吊革の環に直接接するのは、本体１の筒の内側となる。したがって、吊革の環の表面に付着していた雑菌やウイルス等が吊革把持補助具１００に付着したとしても、本体１の筒内側に付着するため、吊革把持補助具１００を使用後に、取り外して携帯する際も、汚染された可能性のある筒内部は触れることなく着脱及び携帯できるので、清潔であり、使用者にストレスがかからない。
【００１７】
図３に示すように、本体１の蛇腹形状は、大径部と小径部が交互に設けられた蛇腹形状であって、大径部と小径部とで構成される隆起は、丸みを帯びた滑らかなカーブを描く隆起となっている。本体１の小径部は、溝１１を構成している。溝１１は、あまり深すぎると、手で本体１を握る際に、蛇腹の凹凸が当たって痛いので、細かいピッチの溝１１が設けられた蛇腹形状素材を用いるとよい。溝１１の幅は、０．０２ミリメートル以上３ミリメートル以下のものがよく、１ミリメートル以上２ミリメートル以下の幅の溝１１が最適である。
【００１８】
図４に示すように、吊革把持補助具１００の本体１は、断面Ｃ字の筒状体である。本体１の筒状体は、断面Ｃ字になるよう、長手方向に切断され、切断面は、本体上側端部１４ａと本体下側端部１４ｂとなっている。本体１の長手方向に沿って設けられた端縁である本体上側端部１４ａ及び本体下側端部１４ｂは、中央近傍は、略直線に切断されているが、両端は、丸みを帯びたカーブ形状に切断されている。したがって、本体角部１５は丸みを帯びた角部となっている。本実施の形態１の吊革把持補助具１００は、本体上側端部１４ａ及び本体下側端部１４ｂをつり革にあてがって、本体１の筒状体内部につり革を挿入して嵌合させて使用するが、本体角部１５が、丸みを帯びた形状になっていることで、本体上側端部１４ａ及び本体下側端部１４ｂからつり革を挿入する際、スムーズに挿入できる。
【００１９】
図５に示すように、本実施の形態１の吊革把持補助具１００は、表面が蛇腹形状の筒状体を長手方向に切断した形状となっている。本体寸法は、長手方向が５センチメートル以上９センチメートル以下がよく、６センチメートル以上８センチメートル以下が最適である。また、本体１の筒状体の直径は１センチメートル以上２．５センチメートル以下のものを用いるとよい。本体１の表面の蛇腹形状は、溝１１の幅１ミリメートル以３ミリメートル以下の間のもの、凸部の幅は溝１１と同じ寸法のものを採用するとよい。
【００２０】
図６に示すように、本実施の形態１の吊革把持補助具１００は、断面Ｃ字形状であって、Ｃ字形状の略中央部分に、持ち手部１２が取り付けられている。吊革把持補助具１００が、吊革にスムーズに装着できるためには、吊革把持補助具１００の中央近傍における切断部分の距離、すなわち、本体上側端部１４ａと本体下側端部１４ｂの間の距離Ｃは、１センチメートル以上２センチメートル以下とすることが望ましい。
【００２１】
持ち手部１２は、紐状物であって、両端を本体１の両端近傍に固定されている。持ち手部１２の取付方法について、本体１の両端近傍に、それぞれ、小さな孔を設け、当該孔に持ち手部１２の紐状物の両端を通したうえ、紐状物の端が当該孔から抜けないよう、紐状物の末端に大きな結び目を作り本体１に固定する。持ち手部１２は、本体１の両端に孔をあけて固定するほか、本体１の両端近傍に接着剤その他で接着して固定してもよい。
【００２２】
次に、図７から図１０を示しながら、吊革把持補助具１００の使用方法について、説明する。図７から図１０は、図１に示した吊革把持補助具１００の使用方法を説明するための参考図である。
【００２３】
まず最初に、図７に示すように、吊革把持補助具１００を手に装着する。吊革把持補助具１００の持ち手部１２をつまんで、持ち手部１２と本体１の間隙に、指先を挿入する。このとき、手のひら側に本体１が来るように手を挿入する。手のひらと指のつけ根部分に本体１がくるように装着するか、または、指の第二関節近傍に本体１がくるように装着すると、吊革把持補助具１００を使用しやすい。
【００２４】
吊革把持補助具１００は、図８に示すように、握ったときに、本体１が手の平の中にすっぽりと隠れる。持ち手部１２は、細い紐状物であり、手の甲と指の付け根の境界部分に位置するので、手を上にあげて、つり革を持った際、周囲からは、吊革把持補助具１００を装着していることが見えにくい。吊革を握るのと同じ握り方で、吊革に直接触れずに吊革を使用することができる。また、電車や乗り合い車両等、人目の多い場所でも、周囲の目を気にすることなく、吊革把持補助具１００を使用できる。
【００２５】
電車や乗り合い車両内での使用方法について説明する。電車や乗り合い車両に乗車したら、図９に示すように、つり革を持つ前に、手に吊革把持補助具１００を装着する。吊革把持補助具１００は、手のひらにすっぽり収まるサイズであり、軽量かつコンパクトであるため、鞄に入れても場所を取らず携帯に便利であり、装着したままでも邪魔にならない。また、持ち手部１２を手に引っ掛けるだけで簡単に装着できるので、混雑した車内でも、迅速かつ簡単に装着できる。吊革把持補助具１００は、利き手（つり革を持つ手）に装着する。吊革把持補助具１００は、右手でも左手でも、どちらにも装着できる構造になっている。吊革把持補助具１００を装着したら、本体上側端部１４ａ及び本体下側端部１４ｂを、つり革の環状部分にあてがって圧迫すると、弾性を有する樹脂素材からなる本体１がつり革の環状部分の形状に沿って変形し、本体１の筒状体の内部空間に、つり革の環状部分が嵌合する。
【００２６】
図１０に示すように、吊革把持補助具１００の長手方向寸法は、手の横幅と、略変わらないので、吊革把持補助具１００を装着してつり革を利用しても、外観上、吊革把持補助具１００は目立たない。したがって、周囲の目を気にすることなく、つり革を直接触れずに利用することができる。また、電車や乗り合い車両を降りる際は、つり革から手を離して引っ張れば、簡単に本体１をつり革から外すことができるので、着脱が大変容易である。さらに、持ち手部１２によって手にぴったり装着できるので、着脱後に、落としてしまったり、置き忘れてしまうこともない。
【００２７】
電車や乗り合い車両等の公共交通機関に備え付けられたつり革は、毎日、多数の者が素手で利用するものであり、ウイルスや雑菌が付着していつ可能性が高く、とくに、風邪やインフルエンザ等の感染症が流行する季節は、できれば直接触れたくないと思う者が多い。吊革把持補助具１００は、いつでも持ち歩くことができ、迅速に装着できるので、大変有用である。
【００２８】
（実施の形態２）
次に、図１１から図１４を示しながら、実施の形態２にかかる把持補助具２００について説明する。
【００２９】
図１１は、本発明の実施の形態２にかかる把持補助具２００の斜視図である。図１２は、図１１に示した把持補助具２００の右側面図である。図１３は、図１１に示した把持補助具２００の平面図である。図１４は、本実施の形態２の把持補助具２００の使用方法を説明するための参考図である。
【００３０】
図１１に示すように、実施の形態２の把持補助具２００は、持ち手部１２が設けられておらず、弾性を有する樹脂等の素材からなる本体１を主に有する把持補助具２００である。把持補助具２００は、断面Ｃ字の短い筒状体の本体１の中空部に、指輪のように指を挿入し、指に固定して使用する把持補助具２００である。
【００３１】
把持補助具２００は、実施の形態１の吊革把持補助具１００の本体１を、筒状体の長手方向を１．５センチメートルから３センチメートル程度み、短くしたものである。把持補助具２００は、合成樹脂等の弾性を有する素材からなり、表面は蛇腹形状であり、断面Ｃ字の短い筒状体である。
【００３２】
図１２に示すように、把持補助具２００は、右側面視、Ｃ字形状であって、Ｃ字の内側の中空部は、ちょうど、指が挿入できる大きさとなっている。把持補助具２００は、親指に装着するもの、人差し指に装着するもの、小指に装着するもの、それぞれ、使用する指に応じて、異なったサイズの把持補助具２００を用意してもよいし、１つの把持補助具２００を、状況に応じて、好みの指に装着して使用することもできる。把持補助具２００は、合成樹脂等の弾性を有する素材からなるので、挿入する指の太さは、ある程度、幅を持たせることが可能である。
【００３３】
図１３に示すように、把持補助具２００の表面は、蛇腹状の凹凸が設けられており、凸部と凸部との間隙は、凹部の溝が設けられている。蛇腹状の凹凸は、把持補助具２００の内側面にも設けられているので、把持補助具２００を、指に装着した際、通気性がよいため汗をかきにくく、使い心地がサラリとして快適である。
【００３４】
図１４に示すように、把持補助具２００は、指の付け根に、指輪のように装着して使用する。把持補助具２００の筒状体の中に、指を挿入し、そのまま指の付け根まで押し入れて、装着する。装着する際、把持補助具２００のＣ字形状の開口部分が手のひらの内側に来るように装着するとよい。把持補助具２００を装着したら、手を軽く握るようにして、エレベーターのボタン等、操作したいボタンに向けて、ボタンに把持補助具２００を押し付けるようにして、ボタンを押して操作する。券売機等や自動販売機のボタンも同じようにして把持補助具２００で操作できる。把持補助具２００は、コンパクトで指に嵌めたままにしても邪魔にならないので、ずっと装着したままにしてもよいし、未使用時は、ポケットや鞄に収納しておき、使用する際だけ取り出して装着してもよい。
【００３５】
（実施の形態３）
次に、図１５から図１７を示しながら、実施の形態３の吊革把持補助具３００を説明する。
【００３６】
図１５は、本実施の形態３にかかる吊革把持補助具３００の斜視図である。図１６は、図１５に示した吊革把持補助具３００の底面図である。
【００３７】
実施の形態３の吊革把持補助具３００は、吊革を把持する際に使用する補助具であって、実施の形態１の吊革把持補助具１００よりも長手方向寸法が短い構造であること、本体１が蛇腹形状でないこと、持ち手部１２が、ゴム紐等の弾性紐状物ではなく、布帯等の帯状物であることを特徴とする。
【００３８】
図１５に示すように、吊革補助具３００は、長手方向に沿って切断面を有する断面Ｃ形状の筒状体からなる本体１と、本体両端近傍に、帯状物の両端を固定してアーチ形状に取り付けた持ち手部１２とを主に有する。
【００３９】
本体１は、弾性を有する合成樹脂その他の素材からなる。合成樹脂の種類について、ポリプロピレン素材や塩ビ素材を用いることができる。本体１は、蛇腹形状ではないため、なるべく、柔らかく弾性の高い素材を採用することが良い。手触りがサラリとして快適な装着感を提供できるポリプロピレン素材のものが最適である。塩ビ素材も用いることができる。持ち手部１２は、本実施の形態３では、帯状物の両端を本体１に固定し、アーチ形状としたものであるが、輪ゴムをつなげて任意の長さの紐状物を作成したうえ、両端を本体１の両端近傍に固定して作成したものを採用してもよい。また、帯状の面ファスナーを用いて持ち手部１２を設けてもよい。持ち手部１２に使用する帯状物の長さは、本体１の長手方向寸法より、すこし長めのものを使用し、持ち手部１２が、本体１に対しアーチを描くように取り付けると良い。
【００４０】
吊革把持補助具３００の本体１の作成方法について、筒状物を所定長さに切断し、さらに、長手方向に沿って切り目を入れて略長方形状に切り取って、断面Ｃ字の本体１を作成する。断面Ｃ字の筒状体の金型から、一体成型してもよい。図１６に示すように、断面Ｃ字の筒状体の端縁である本体上側端部１４ａ及び本体下側端部１４ｂの、それぞれの両端にある本体角部１５は、丸みを帯びたカーブになるよう、切り取って整える。
【００４１】
吊革把持補助具３００の本体１は、筒状となっており、筒内部に吊革の環を挿入して使用することから、吊革の環に直接接するのは、本体１の筒の内側となる。したがって、吊革の環の表面に付着していた雑菌やウイルス等が吊革把持補助具１００に付着したとしても、本体１の筒内側に付着するため、吊革把持補助具１００を使用後に、取り外して携帯する際も、汚染された可能性のある筒内部は触れることなく着脱及び携帯できるので、清潔であり、使用者にストレスがかからない。
【００４２】
図４に示すように、吊革把持補助具１００の本体１は、断面Ｃ字の筒状体である。本体１の長手方向寸法は、５．５センチメートル以上７．５センチメートル以下とすることが望ましい。この寸法にすると、ちょうど、人差し指、中指及び薬指の３本に持ち手部１２を通し、吊革把持補助具３００を装着できる。また、小柄な人か子供も使用できる。把持補助具３００は、大きさがコンパクトで、装着したままでも邪魔にならず、また、鞄に入れて運搬する際も、かさばらず携帯に便利である。
【００４３】
本体１の筒状体は、断面Ｃ字になるよう、長手方向に切断され、切断面は、本体上側端部１４ａと本体下側端部１４ｂとなっている。本体１の長手方向に沿って設けられた端縁である本体上側端部１４ａ及び本体下側端部１４ｂは、中央近傍は、略直線に切断されているが、両端は、丸みを帯びたカーブ形状に切断されている。したがって、本体角部１５は丸みを帯びた角部となっている。本実施の形態１の吊革把持補助具１００は、本体上側端部１４ａ及び本体下側端部１４ｂをつり革にあてがって、本体１の筒状体内部につり革を挿入して嵌合させて使用するが、本体角部１５が、丸みを帯びた形状になっていることで、本体上側端部１４ａ及び本体下側端部１４ｂからつり革を挿入する際、スムーズに挿入できる。
【００４４】
本実施の形態３の吊革把持補助具３００は、断面Ｃ字形状であって、Ｃ字形状の略中央部分に、持ち手部１２が取り付けられている。吊革把持補助具３００が、吊革にスムーズに装着できるためには、吊革把持補助具３００の中央近傍における切断部分の距離、すなわち、本体上側端部１４ａと本体下側端部１４ｂの間の距離を、１センチメートル以上２．５センチメートル以下とすることが望ましい。
【００４５】
次に、図１７を示しながら、吊革把持補助具３００の使用方法について、説明する。図１７は、図１５に示した吊革把持補助具３００の使用方法を説明するための参考図である。
【００４６】
まず最初に、図１７に示すように、吊革把持補助具３００を手に装着する。吊革把持補助具３００の持ち手部１２をつまんで、持ち手部１２と本体１の間隙に、人差し指、中指及び薬指を挿入する。このとき、手のひら側に本体１が来るように手を挿入する。手のひらと指のつけ根部分に本体１がくるように装着するか、または、指の第二関節近傍に本体１がくるように装着すると、吊革把持補助具３００を使用しやすい。
【００４７】
吊革把持補助具３００は、握ったときに、本体１が手の平の中にすっぽりと隠れ、つり革を持った際も、周囲からは、吊革把持補助具３００を装着していることが見えにくい。吊革を握るのと同じ握り方で、吊革に直接触れずに吊革を使用することができる。
【００４８】
電車や乗り合い車両内での使用方法について説明する。電車や乗り合い車両に乗車したら、つり革を持つ前に、手に吊革把持補助具３００を装着する。乗車前や、出かける際に、既に、装着しておいてもよい。吊革把持補助具３００は、手のひらにすっぽり収まるサイズであり、軽量かつコンパクトであるため、装着したままでも邪魔にならない。また、持ち手部１２に指を通すだけで簡単に装着できるので、混雑した車内でも、迅速かつ簡単に装着できる。吊革把持補助具３００は、利き手（つり革を持つ手）に装着する。吊革把持補助具３００は、右手でも左手でも、どちらにも装着できる構造になっている。吊革把持補助具３００を装着したら、本体上側端部１４ａ及び本体下側端部１４ｂを、つり革の環状部分にあてがって圧迫すると、弾性を有する樹脂素材からなる本体１がつり革の環状部分の形状に沿って変形し、本体１の筒状体の内部空間に、つり革の環状部分が嵌合する。
【００４９】
吊革把持補助具１００、把持補助具２００、吊革把持補助具３００は、それぞれ、本体１に様々なデザインを施したり、着色したりして、御洒落を楽しむように、色違い、デザイン違いで複数種類所持して、その日の洋服や気分にあわせてコーディネートするように好みの把持補助具を選択して楽しむこともできる。また、使い捨てにして衛生的に毎日使えるようにしてもよい。
【００５０】
本実施の形態では、電車や乗り合い車両のつり革に使用できる吊革把持補助具１００、３００と、エレベーター等のボタンを押す際に使用できる把持補助具２００を説明したが、大きい寸法の筒状体からなる本体１を用いて、乗物の手すりを持つ際に使用できる把持補助具としてもよい。使用したい物の寸法にあわせた本体１を作成して把持補助具を作成すると良い。
【符号の説明】
【００５１】
１００，３００   吊革把持補助具
２００  把持補助具
１  本体
１１  溝
１２  持ち手部
１３  持ち手端部
１４ａ  本体上側端部
１４ｂ  本体下側端部
１５  本体角部
Ｈ  手
Ｔ  つり革
【図１】
2020185995.tif 000003
【図２】
2020185995.tif 000004
【図３】
2020185995.tif 000005
【図４】
2020185995.tif 000006
【図５】
2020185995.tif 000007
【図６】
2020185995.tif 000008
【図７】
2020185995.tif 000009
【図８】
2020185995.tif 000010
【図９】
2020185995.tif 000011
【図１０】
2020185995.tif 000012
【図１１】
2020185995.tif 000013
【図１２】
2020185995.tif 000014
【図１３】
2020185995.tif 000015
【図１４】
2020185995.tif 000016
【図１５】
2020185995.tif 000017
【図１６】
2020185995.tif 000018
【図１７】
2020185995.tif 000019